(57)【要約】【課題】本発明は、部品の追加や余計な操作を伴わずに、スタンドの使用時における安定性が向上するスタンドを提供することにある。【解決手段】ハイハットスタンド１０は、上パイプ１１と、下パイプ１２とを備えている。脚部１３は、脚板３０、ステー３１、固定カラー３３、摺動カラー３４を備えている。脚板３０及びステー３１は、摺動カラー３４及び固定カラー３３を介して、下パイプ１２にそれぞれ組み付けられている。下パイプ１２の外周面１２ａにおいて、摺動カラー３４の固定位置には、滑り防止面４１が形成されている。滑り防止面４１は、アヤ目ローレット加工によって形成されている。【選択図】図２
2019101347.tif 000002
【特許請求の範囲】
【請求項１】
スタンドであって、
軸線を有する支持体と、
前記支持体に組み付けられ、前記支持体の軸線を中心に開閉可能な複数の脚板及び複数のステーと、
前記支持体の外周面に摺動可能に取り付けられ、前記複数の脚板又は前記複数のステーに連結された摺動カラーとを備え、
前記スタンドは、前記摺動カラーを前記支持体の軸線方向に摺動させて前記脚板及び前記ステーをそれぞれ開閉すると共に、前記摺動カラーを前記支持体の固定位置に固定して前記複数の脚板及び前記複数のステーが開いた使用時の形態に保持するように構成され、
前記摺動カラーは、前記支持体の外周面と接触する内周面を備え、
前記支持体の外周面及び前記摺動カラーの内周面の少なくともいずれか一方には、前記摺動カラーと前記支持体との摩擦抵抗を高めるための滑り防止面が設けられている、スタンド。
【請求項２】
請求項１に記載のスタンドにおいて、
前記滑り防止面には、凹部及び凸部の少なくともいずれか一方が設けられている、スタンド。
【請求項３】
請求項２に記載のスタンドにおいて、
前記支持体の外周面に設けられた凹部及び凸部の少なくともいずれか一方は、前記支持体の軸線と交差する周方向に延びている、スタンド。
【請求項４】
請求項２又は３に記載のスタンドにおいて、
前記摺動カラーの内周面に設けられた凹部及び凸部の少なくともいずれか一方は、前記摺動カラーの軸線と交差する周方向に延びている、スタンド。
【請求項５】
請求項２〜４のうちいずれか一項に記載のスタンドにおいて、
隣接する凹部間に形成される部分及び前記凸部の各断面形状は、三角形である、スタンド。
【請求項６】
請求項１〜５のうちいずれか一項に記載のスタンドにおいて、
前記滑り防止面は、前記支持体の外周面及び前記摺動カラーの内周面の少なくともいずれか一方にアヤ目ローレット加工が施された加工面である、スタンド。
【請求項７】
請求項１〜６のうちいずれか一項に記載のスタンドにおいて、
前記摺動カラーに組み付けられ、前記支持体が保持されると共にネジ孔を有する締付け部材と、
前記締付け部材のネジ孔に螺着され、前記摺動カラーを前記支持体に固定する固定ネジとを備え、
前記締付け部材は、前記固定ネジがその先端を前記摺動カラーに当接させて締付けられることで径方向外側に移動するように構成されている、スタンド。
【請求項８】
請求項１〜７のうちいずれか一項に記載のスタンドにおいて、
前記複数の脚板は、前記支持体に回動可能にそれぞれ連結され、
前記摺動カラーは、前記支持体と前記脚板との連結部よりも上方に配置され、
前記複数のステーは、前記複数の脚板のうち対応する脚板と前記摺動カラーとに回動可能にそれぞれ連結され、
前記脚板は、前記摺動カラーを前記連結部に向けて摺動させることにより前記脚板が下方に回動して開くと共に、前記摺動カラーを前記連結部から離れる方向へ摺動させることにより前記脚板が上方に回動して閉じるように構成されている、スタンド。
【請求項９】
請求項１〜８のうちいずれか一項に記載のスタンドは、更に、
前記支持体の外周面に設けられ、前記支持体の固定位置を越える前記摺動カラーの摺動を規制する規制部を備え、
前記滑り防止面は、前記支持体の外周面において前記規制部と対応する部分にのみ設けられている、スタンド。
【請求項１０】
ハイハットスタンドであって、
ボトムシンバルが取着されるパイプを含みかつ軸線を有する支持体と、
前記パイプに挿通されると共にトップシンバルが取着される上端を有するロッドと、
前記ロッドの下端に連結部材を介して連結されたペダルプレートと、
前記支持体に組み付けられ、前記支持体の軸線を中心に開閉可能な複数の脚板及び複数のステーと、
前記支持体の外周面に摺動可能に取り付けられ、前記複数の脚板又は前記複数のステーに連結された摺動カラーとを備え、
前記ハイハットスタンドは、前記摺動カラーを前記支持体の軸線方向に摺動させて前記脚板及び前記ステーをそれぞれ開閉すると共に、前記摺動カラーを前記支持体の固定位置に固定して前記複数の脚板及び前記複数のステーが開いた使用時の形態に保持するように構成され、
前記摺動カラーは、前記支持体の外周面と接触する内周面を備え、
前記支持体の外周面及び前記摺動カラーの内周面の少なくともいずれか一方には、前記摺動カラーと前記支持体との摩擦抵抗を高めるための滑り防止面が設けられている、ハイハットスタンド。
【発明の詳細な説明】
【技術分野】
【０００１】
本発明は、開閉可能な脚部を備えたスタンド及びハイハットスタンドに関する。
【背景技術】
【０００２】
例えば、図１１に示すハイハットスタンド（以下、スタンドと称す）１００は、上パイプ１００ａと、下パイプ１００ｂとを備えている。上パイプ１００ａには、図示しないハイハットのボトムシンバルが取り付けられている。下パイプ１００ｂには、開閉可能な脚部が組み付けられている。また、スタンド１００は、演奏者の足により操作されるペダルプレート１０４と、上パイプ１００ａに挿通されたロッド１０５とを備えている。ロッド１０５の上端には、図示しないハイハットのトップシンバルが取り付けられている。ロッド１０５の下端は、チェーン１０６を介してペダルプレート１０４の先端に連結されている。
【０００３】
脚部は、３つの脚板１０１、３つのステー１０２、固定カラー１０７、摺動カラー１０８を備えている。固定カラー１０７は、下パイプ１００ｂの下端付近に固定されている。摺動カラー１０８は、固定カラー１０７よりも上方の位置で下パイプ１００ｂに取り付けられている。脚板１０１は、固定カラー１０７に回動可能に連結されている。ステー１０２は、脚板１０１の中間部と摺動カラー１０８とにそれぞれ回動可能に連結されている。脚部は、摺動カラー１０８を上下方向に摺動させることで各脚板１０１と各ステー１０２とが連動して開閉するように構成されている。
【０００４】
スタンド１００は、摺動カラー１０８を下パイプ１００ｂの上端付近にまで摺動させることで、脚板１０１とステー１０２とが閉じた収納時の形態となる。一方、スタンド１００は、摺動カラー１０８を下パイプ１００ｂの下端付近にまで摺動させてから摺動後の位置に固定することで、脚板１０１とステー１０２とが開いた使用時の形態に保持される。スタンド１００は、開いた状態の脚板１０１の先端を床面に設置して使用される。
【０００５】
また、スタンド１００は、リンク機構１１１を介してペダルプレート１０４を下パイプ１００ｂの下端に固定した状態で使用される。このとき、下パイプ１００ｂの下端に位置するリンク機構１１１は、床面から離れている。この状態で、演奏者は、ペダルプレート１０４の踏み込み操作によって、ロッド１０５と共にトップシンバルを繰り返し上下動させながら、トップシンバルをボトムシンバルに接離させることによって、ハイハットを演奏する。
【０００６】
ハイハットの演奏時、ロッド１０５やトップシンバルの上下動に伴う上方からの荷重Ｐが、上パイプ１００ａや下パイプ１００ｂを通じて、固定カラー１０７や各脚板１０１に繰り返し加えられる。この荷重Ｐは、脚板１０１やステー１０２を通じて、摺動カラー１０８にも繰り返し加えられる。このため、ハイハットの演奏が進むと、下パイプ１００ｂが下方へと徐々に移動する。そして、荷重Ｐが更に加えられると、リンク機構１１１が床面に接触して脚板１０１の先端が床面から浮き上がってしまうことがある。このような場合、脚板１０１の先端が床面から離れるため、スタンド１００の姿勢が不安定になり、ハイハットの演奏に支障をきたす虞がある。このため、図１１に示すスタンド１００では、移動防止リング１１０を用いて、下パイプ１００ｂの下方への移動を規制している。移動防止リング１１０は、ボルト１０９を締め付けることによって、摺動カラー１０８の上端面と隣接する位置で下パイプ１００ｂの外周面に固定されている。
【０００７】
上記以外に、特許文献１に開示のスタンドは、パイプの下端に固定されかつ上下方向に回動可能なボルトを有する固定カラーを有している。また、摺動カラーは、固定カラーとの固定に用いられる部分に、ボルトの軸部を収容可能なボルト収容凹部を有している。この文献に開示のスタンドによれば、使用時の形態にするため、摺動カラーをパイプの下端付近にまで摺動させた後、固定カラーのボルトを上方に回動して摺動カラーのボルト収容凹部に嵌め込み、ボルトに螺着されたナットを締め付ける。こうして、摺動カラーを固定カラーに固定してパイプの固定位置から動かなくすることで、パイプの下方への移動を規制している。
【先行技術文献】
【特許文献】
【０００８】
【特許文献１】米国特許第９２４５５０３号明細書
【発明の概要】
【０００９】
しかしながら、図１１に示すスタンド１００の場合、脚部を構成する部品以外に、移動防止リング１１０が必要となる。このため、部品点数が増加し、部品コストや組み付け工数が増加するとの問題がある。また、脚部の開閉時には、摺動カラー１０８の摺動操作に加え、移動防止リング１１０をロック又はアンロックするためにボルト１０９を締め付けたり緩めたりする操作が必要となる。このように、脚部を開閉するための操作以外にも、移動防止リング１１０を摺動させるための操作が必要となるため、スタンド１００のセッティングに時間がかかる。特許文献１に開示のスタンドにおいても、固定カラーのボルトを上方に回動して上部カラーのボルト収容凹部に嵌め込むまでの操作が、ユーザにとって煩わしく、面倒である。また、ボルトを回動可能にする機構を固定カラーに設けたり、ボルト収容凹部を摺動カラーに設けたりする必要があるため、固定カラー及び摺動カラーの構造が複雑化する。
【発明が解決しようとする課題】
【００１０】
本発明の目的は、部品の追加や余計な操作を伴わずに、使用時における安定性が向上するスタンド及びハイハットスタンドを提供することにある。
【課題を解決するための手段】
【００１１】
上記の目的を達成するために、請求項１に記載の発明は、スタンドであって、軸線を有する支持体と、支持体に組み付けられ、支持体の軸線を中心に開閉可能な複数の脚板及び複数のステーと、支持体の外周面に摺動可能に取り付けられ、複数の脚板又は複数のステーに連結された摺動カラーとを備え、スタンドは、摺動カラーを支持体の軸線方向に摺動させて脚板及びステーをそれぞれ開閉すると共に、摺動カラーを支持体の固定位置に固定して複数の脚板及び複数のステーが開いた使用時の形態に保持するように構成され、摺動カラーは、支持体の外周面と接触する内周面を備え、支持体の外周面及び摺動カラーの内周面の少なくともいずれか一方には、摺動カラーと支持体との摩擦抵抗を高めるための滑り防止面が設けられていることを要旨とする。
【００１２】
この構成によれば、支持体の外周面及び摺動カラーの内周面の少なくともいずれか一方に滑り防止面を設けたことによって、摺動カラーを支持体の固定位置に固定した状態で、摺動カラーと支持体との摩擦抵抗を高めることができる。これにより、上方からの荷重が脚板や摺動カラーに作用しても、摺動カラーが支持体の固定位置から動き難くなるため、支持体の下方への移動が規制される。このため、支持体の下端が床面に接して脚板の先端が床面から浮き上がることもない。よって、脚板の先端が床面から離れずに接触し続けるため、スタンドの使用時における安定性を向上させることができる。また、この場合、支持体の外周面、摺動カラーの内周面に滑り防止面を設けただけで、新たに部品を追加する必要がない。また、スタンドを使用時の形態に保持するための操作以外、余計な操作も不要である。
【００１３】
請求項２に記載の発明は、請求項１に記載の発明において、滑り防止面には、凹部及び凸部の少なくともいずれか一方が設けられていることを要旨とする。
この構成によれば、支持体の外周面や摺動カラーの内周面に、凹部の開口縁や凸部の先端を接触させて引っ掛けることができる。これにより、摺動カラーを支持体の固定位置に固定した状態で、摺動カラーと支持体との摩擦抵抗を高めることができる。
【００１４】
請求項３に記載の発明は、請求項２に記載の発明において、支持体の外周面に設けられた凹部及び凸部の少なくともいずれか一方は、支持体の軸線と交差する周方向に延びていることを要旨とする。
【００１５】
この構成によれば、摺動カラーと支持体とを、摺動カラー及び支持体の周方向のより広い範囲で、互いに接触させることができる。これにより、摺動カラーを支持体の固定位置に固定した状態で、摺動カラーと支持体との摩擦抵抗をより一層高めることができる。
【００１６】
請求項４に記載の発明は、請求項２又は３に記載の発明において、摺動カラーの内周面に設けられた凹部及び凸部の少なくともいずれか一方は、摺動カラーの軸線と交差する周方向に延びていることを要旨とする。
【００１７】
この構成によれば、請求項３と同等の作用効果を奏することができる。
請求項５に記載の発明は、請求項２〜４のうちいずれか一項に記載の発明において、隣接する凹部間に形成される部分及び凸部の各断面形状は、三角形であることを要旨とする。
【００１８】
この構成によれば、滑り防止面に設けた凹部間に形成される断面三角形状の部分や、滑り防止面に設けた断面三角形状の凸部を用いて、摺動カラーと支持体とを互いに接触させることができる。この場合、断面三角形状の部分の先端を、摺動カラーの内周面や支持体の外周面に食い込ませることができる。これにより、摺動カラーを支持体の固定位置に固定した状態で、摺動カラーと支持体との摩擦抵抗を更に高めることができる。
【００１９】
請求項６に記載の発明は、請求項１〜５のうちいずれか一項に記載の発明において、滑り防止面は、支持体の外周面及び摺動カラーの内周面の少なくともいずれか一方にアヤ目ローレット加工が施された加工面であることを要旨とする。
【００２０】
この構成によれば、アヤ目ローレット加工は一般的な金属加工であり、滑り止めとしても有用であることから、スタンドの使用時における安定性が向上するだけでなく、スタンドの製造コストを安価に抑えることもできる。
【００２１】
請求項７に記載の発明は、請求項１〜６のうちいずれか一項に記載の発明において、摺動カラーに組み付けられ、支持体が保持されると共にネジ孔を有する締付け部材と、締付け部材のネジ孔に螺着され、摺動カラーを支持体に固定する固定ネジとを備え、締付け部材は、固定ネジがその先端を摺動カラーに当接させて締付けられることで径方向外側に移動するように構成されていることを要旨とする。
【００２２】
この構成によれば、ネジ孔に螺着された固定ボルトを締め付けることで、締付け部材を径方向外側に移動させて支持体に押し付けると共に、固定ボルトの先端により押圧された摺動カラーの内周面を支持体の外周面に押し付けることができる。こうして、固定ボルトの締付け力を利用することで、摺動カラーを、締付けリングと共に、支持体の外周面に対して強い力で固定することができる。この場合、固定ボルトを締付ける操作だけで、摺動カラーの内周面と支持体の外周面との接触による摩擦抵抗を高めつつ摺動カラーを支持体の固定位置に固定することができる。このため、支持体の下方への移動を規制する構成を備えた従来のスタンドと比較して、取り扱いが簡単である。
【００２３】
請求項８に記載の発明は、請求項１〜７のうちいずれか一項に記載の発明において、複数の脚板は、支持体に回動可能にそれぞれ連結され、摺動カラーは、支持体と脚板との連結部よりも上方に配置され、複数のステーは、複数の脚板のうち対応する脚板と摺動カラーとに回動可能にそれぞれ連結され、脚板は、摺動カラーを連結部に向けて摺動させることにより脚板が下方に回動して開くと共に、摺動カラーを連結部から離れる方向へ摺動させることにより脚板が上方に回動して閉じるように構成されていることを要旨とする。
【００２４】
この構成によれば、摺動カラーを連結部に向けて摺動させることにより、脚板が下方に回動して開いた状態となり、スタンドが使用時の形態になる。一方、摺動カラーを連結部から離れる方向に摺動させることにより、脚板が上方に回動して閉じた状態となり、スタンドが収納時の形態になる。この種のスタンドは、使用時に、脚板がステーよりも大きく開くと共に上方からの荷重が直接脚板に作用し易い構成となっている。このため、上方からの荷重によって脚板が動き易く、スタンドの姿勢が不安定になり易い。この点、本発明は、上方からの荷重に対し支持体の下方への移動を規制して脚板を動き難くする構成である。このため、本発明は、上記構成のスタンドの使用時における安定性を向上させるのに、特に有用である。
【００２５】
請求項９に記載の発明は、請求項１〜８のうちいずれか一項に記載の発明において、支持体の外周面に設けられ、支持体の固定位置を越える摺動カラーの摺動を規制する規制部を備え、滑り防止面は、支持体の外周面において規制部と対応する部分にのみ設けられていることを要旨とする。
【００２６】
この構成によれば、支持体の外周面に形成される滑り防止加工の範囲が必要最小限に抑えられるため、スタンドの製造コストをより一層安価に抑えることもできる。
請求項１０に記載の発明は、請求項１〜９のうちいずれか一項に記載の発明において、ハイハットスタンドであって、ボトムシンバルが取着されるパイプを含みかつ軸線を有する支持体と、パイプに挿通されると共にトップシンバルが取着される上端を有するロッドと、ロッドの下端に連結部材を介して連結されたペダルプレートと、支持体に組み付けられ、支持体の軸線を中心に開閉可能な複数の脚板及び複数のステーと、支持体の外周面に摺動可能に取り付けられ、複数の脚板又は複数のステーに連結された摺動カラーとを備え、ハイハットスタンドは、摺動カラーを支持体の軸線方向に摺動させて脚板及びステーをそれぞれ開閉すると共に、摺動カラーを支持体の固定位置に固定して複数の脚板及び複数のステーが開いた使用時の形態に保持するように構成され、摺動カラーは、支持体の外周面と接触する内周面を備え、支持体の外周面及び摺動カラーの内周面の少なくともいずれか一方には、摺動カラーと支持体との摩擦抵抗を高めるための滑り防止面が設けられていることを要旨とする。
【００２７】
この構成によれば、演奏者は、ペダルプレートの踏み込み操作によって、ロッドと共にトップシンバルを繰り返し上下動させながら、トップシンバルをボトムシンバルに接離させることによって、ハイハットを演奏する。このため、ハイハットの演奏時には、ロッドやトップシンバルの上下動に伴う上方からの荷重が、パイプや支持体を通じて脚板やステーに繰り返し加えられると共に、脚板やステーを通じて摺動カラーにも繰り返し加えられる。このため、ハイハットの演奏が進むと、支持体が下方へ徐々に移動し、支持体の下端が床面に接触して脚板の先端が床面から浮き上がってしまうことがある。このような場合、脚板の先端が床面から離れるため、スタンドの姿勢が不安定になり易い。この点、本発明は、上方からの荷重に対し支持体の下方への移動を規制して脚板を動き難くする構成である。このため、本発明は、ハイハットスタンドの使用時における安定性を向上させるのに、特に有用である。
【発明の効果】
【００２８】
本発明によれば、部品の追加や余計な操作を伴わずに、スタンドの使用時における安定性を向上させることができる。
【図面の簡単な説明】
【００２９】
【図１】本発明の一実施形態に係るハイハットスタンドの全体構成を示す斜視図。
【図２】ハイハットスタンドの脚部付近を拡大して示す部分側面図。
【図３】ハイハットスタンドの脚部付近の部分分解斜視図。
【図４】下パイプの滑り防止面付近を拡大して示す部分平面図。
【図５】摺動カラーを下パイプに固定した状態のハイハットスタンドの部分断面図。
【図６】別例の摺動カラーの内部構成を示す縦断面図。
【図７】摺動カラーを下パイプに固定した状態のハイハットスタンドの部分断面図。
【図８】別例のハイハットスタンドの脚部付近を拡大して示す部分側面図。
【図９】（ａ）（ｂ）は、別例の滑り防止面を示す下パイプの部分平面図。
【図１０】（ａ）（ｂ）（ｃ）は、別例の滑り防止面を示す下パイプの部分縦断面図。
【図１１】従来のハイハットスタンドの脚部付近の部分分解斜視図。
【発明を実施するための形態】
【００３０】
以下、本発明のハイハットスタンド１０を具体化した一実施形態について図１〜図５を参照して説明する。
図１に示すように、ハイハットスタンド（以下、スタンドと称す）１０は、上パイプ１１と、支持体としての下パイプ１２とを備えている。上パイプ１１の上端には、ハイハットＨのボトムシンバルＢＣが取り付けられている。下パイプ１２には、下パイプ１２の軸線Ｃ１を中心に開閉可能な脚部１３が組み付けられている。上パイプ１１及び下パイプ１２は、クランプ１５によって、両パイプ１１，１２の軸線を平行に配置した状態で一体化されている。
【００３１】
上パイプ１１は、第１パイプ１１ａと、第１パイプ１１ａ内に摺動可能に配置された第２パイプ１１ｂとから構成されている。第１パイプ１１ａは、クランプ１５によって、下パイプ１２の上端に固定されている。第１パイプ１１ａの上端には、スタンド１０の高さを調節するときに操作される第１の蝶ネジ１６が設けられている。第２パイプ１１ｂの上端には、ボトムシンバルＢＣを下方から支持するハイハットボトム１７が固定されている。
【００３２】
また、スタンド１０は、上パイプ１１に挿通されたロッド１８と、上パイプ１１及び下パイプ１２の両方に連結されたペダルアッセンブリ２０とを備えている。ロッド１８は、その上端を上パイプ１１の上端から突出させた状態で、上パイプ１１内に遊挿されている。ロッド１８の上端には、ハイハットＨのトップシンバルＴＣをロッド１８に取り付けるためのハイハットクラッチ１９が固定されている。
【００３３】
図１及び図２に示すように、ペダルアッセンブリ２０は、演奏者の足で操作されるペダルプレート２１と、ヒール部２２と、一対のロッド部２３と、リンク部２４とを備えている。ヒール部２２には、ペダルプレート２１の基端が回動可能に連結されている。ロッド１８の下端は、連結部材としてのチェーン２５を介して、ペダルプレート２１の先端に連結されている。チェーン２５は、ペダルプレート２１の先端を持ち上げた状態で支持している。
【００３４】
リンク部２４は、下パイプ１２の下端に固定されている。リンク部２４は、床面と対向する面に一対のスパイク２４ａを有している。両ロッド部２３は、ヒール部２２とリンク部２４とに連結されることで、ペダルアッセンブリ２０を下パイプ１２の下端に連結している。ペダルアッセンブリ２０は、下パイプ１２の下端に連結されることによって、ヒール部２２を床面に載置しかつ一対のスパイク２４ａの尖端を床面に突き当てた状態で設置される。
【００３５】
図２及び図３に示すように、脚部１３は、３つの脚板３０、３つのステー３１、固定カラー３３、摺動カラー３４を備えている。固定カラー３３は、リンク部２４の上端面と隣接する位置で下パイプ１２の外周面１２ａに固定されている。摺動カラー３４は、固定カラー３３よりも上方の位置で下パイプ１２の外周面１２ａに取り付けられている。摺動カラー３４は、下パイプ１２の軸線Ｃ１に沿って上下方向に摺動可能である。脚板３０及びステー３１は、摺動カラー３４及び固定カラー３３を介して、下パイプ１２にそれぞれ組み付けられている。
【００３６】
固定カラー３３は、固定カラー３３の外周面から径方向外側に突出した３つの脚部連結突起３３ａを有している。各脚部連結突起３３ａは、固定カラー３３の外周面において等角度間隔を空けて設けられている。摺動カラー３４は、摺動カラー３４の外周面から径方向外側に突出した３つのステー連結突起３４ａを有している。各ステー連結突起３４ａは、摺動カラー３４の外周面において等角度間隔を空けて設けられている。
【００３７】
また、脚部１３は、固定ネジとしての第２の蝶ネジ３５と、締付け部材としての締付けリング３６とを備えている。第２の蝶ネジ３５及び締付けリング３６は、摺動カラー３４を下パイプ１２に固定するための部品である。第２の蝶ネジ３５は、摺動カラー３４を下パイプ１２の外周面１２ａに固定する際に操作される。
【００３８】
締付けリング３６は、上下一対のリング部３６ａと、固定プレート部３６ｃとからなる。両リング部３６ａには、下パイプ１２が挿通及び保持される。固定プレート部３６ｃの中央には、第２の蝶ネジ３５が螺着されるネジ孔３６ｄが形成されている。締付けリング３６は、摺動カラー３４の２つのステー連結突起３４ａの間に組み付けられている。また、締付けリング３６は、上下各リング部３６ａを摺動カラー３４の上下各開口端にそれぞれ一致させるようにして、摺動カラー３４に側方から組み付けられている。
【００３９】
各脚板３０は、固定カラー３３の各脚部連結突起３３ａに対して回動可能にそれぞれ連結されている。固定カラー３３は、下パイプ１２と脚板３０との連結部として機能する。各脚板３０は、固定カラー３３との連結部を中心に回動することで、下パイプ１２の軸線Ｃ１を中心に開閉する。各ステー３１は、摺動カラー３４の各ステー連結突起３４ａに対して回動可能にそれぞれ連結されている。摺動カラー３４は、下パイプ１２とステー３１との連結部として機能する。各ステー３１は、摺動カラー３４との連結部を中心に回動することで、下パイプ１２の軸線Ｃ１を中心に開閉する。
【００４０】
各ステー３１は、複数の脚板３０のうち対応する脚板３０の上方にそれぞれ配置されている。また、各ステー３１は、摺動カラー３４に加え、対応する脚板３０の中間部にも回動可能に連結されている。このため、摺動カラー３４を上方に摺動させると、各ステー３１が各ステー連結突起３４ａを中心に下方に回動すると共に、各脚板３０が各ステー３１により引っ張られながら各脚部連結突起３３ａを中心に上方に回動する。そして、図２の二点鎖線で示すように、摺動カラー３４を下パイプ１２の上端にまで摺動させることで、全ての脚板３０及びステー３１が完全に閉じられて、スタンド１０が収納時の形態になる。
【００４１】
一方、摺動カラー３４を下方に摺動させると、各ステー３１が各ステー連結突起３４ａを中心に上方に回動すると共に、各脚板３０が各ステー３１により押し出されながら各脚部連結突起３３ａを中心に下方に回動する。そして、摺動カラー３４を図２の実線で示す固定位置まで摺動させると、全ての脚板３０及びステー３１が完全に開いて、スタンド１０が使用時の形態になる。また、第２の蝶ネジ３５を操作して摺動カラー３４を下パイプ１２の固定位置に固定することで、スタンド１０が使用時の形態に保持される。
【００４２】
上記のように、脚部１３は、摺動カラー３４を上下方向に摺動させることで、各脚板３０と各ステー３１とが連動して開閉するように構成されている。また、脚部１３は、摺動カラー３４を上下方向に摺動させることで、各脚板３０が各ステー３１よりも大きく回動するように構成されている。具体的には、脚部１３は、各脚板３０を下パイプ１２の軸線Ｃ１とほぼ平行に配置した閉位置と、各脚板３０を下パイプ１２の軸線とほぼ直交する位置に配置した開位置との間を回動可能である。これに対し、ステー３１は、各ステー３１を下パイプ１２の軸線Ｃ１とほぼ平行に配置した閉位置と、各ステー３１を下パイプ１２の軸線Ｃ１と約４５度の角度で交差する位置に配置した開位置との間を回動可能である。このため、スタンド１０の使用時には、各脚板３０が各ステー３１よりも大きく開いている。
【００４３】
下パイプ１２の外周面１２ａには、規制部としての規制ピン４０が固定されている。規制ピン４０は、下パイプ１２の外周面１２ａと直交する方向を向いて固定されている。また、規制ピン４０は、下パイプ１２の固定位置に配置された摺動カラー３４の下側開口端と隣接する位置に固定されている。規制ピン４０は、その外周面に摺動カラー３４の下側開口端を当接させることで、下パイプ１２の固定位置を越える摺動カラー３４の下方への摺動を規制する。
【００４４】
下パイプ１２の外周面１２ａにおいて、摺動カラー３４及び締付けリング３６と対応する部分には、滑り防止面４１が形成されている。滑り防止面４１は、下パイプ１２に固定した摺動カラー３４が上方からの荷重Ｐによって滑らないようにするために設けられている。滑り防止面４１は、下パイプ１２の外周面１２ａに周知のアヤ目ローレット加工が施された加工面として形成されている。滑り防止面４１は、摺動カラー３４の軸長の約２倍の距離に亘って設けられている。このため、規制ピン４０により摺動カラー３４の摺動が規制されている状態で、滑り防止面４１の上端部と下端部とが、摺動カラー３４に組み付けられた締付けリング３６の外側にそれぞれ露出している。
【００４５】
図４及び図５に示すように、滑り防止面４１は、下パイプ１２の外周面１２ａの全周に亘って設けられている。滑り防止面４１は、摺動カラー３４の内周面３４ｂと接触することで、摺動カラー３４と下パイプ１２との摩擦抵抗を高めるように機能する。また、滑り防止面４１は、締付けリング３６の両リング部３６ａの内周面と接触することで、締付けリング３６と下パイプ１２との摩擦抵抗を高めるように機能する。滑り防止面４１には、周知のアヤ目ローレット加工によって、複数の細かい凹部４１ａ，４１ｂが形成されている。
【００４６】
凹部４１ａ，４１ｂの集合体は、下パイプ１２の軸線Ｃ１と交差する周方向のうち第１の方向に延びる複数の第１凹部４１ａと、第２の方向に延びる複数の第２凹部４１ｂとを組み合わせたものである。第１凹部４１ａの総数は、第２凹部４１ｂの総数と実質的に同じである。複数の第１凹部４１ａは、図４の右上から左下に向かって同方向に延びている。複数の第２凹部４１ｂは、図４の左上から右下に向かって同方向に延びている。よって、各第１凹部４１ａは、各第２凹部４１ｂと同じ角度で交差している。
【００４７】
図５の拡大図に示すように、第１凹部４１ａ及び第２凹部４１ｂの各断面形状はいずれも、三角形である。また、隣接する第１凹部４１ａ間に形成される凸状の部分４１ｃ及び隣接する第２凹部４１ｂ間に形成される凸状の部分４１ｃの各断面形状も、三角形である。また、凹部４１ａ，４１ｂの総数は、凸状の部分４１ｃの総数と実質的に同じである。このため、滑り防止面４１の全体に亘って、断面三角形状の細かい凹凸が、均一な密度で規則的に配列されている。
【００４８】
第１凹部４１ａの深さは、第２凹部４１ｂの深さと同じである。このため、第１凹部４１ａの開口縁は、第２凹部４１ｂの開口縁と同一円周面上に配置されている。また、第１凹部４１ａ及び第２凹部４１ｂの各開口縁はいずれも、アヤ目ローレット加工が施されていない下パイプ１２の外周面１２ａと同一円周面上に配置されている。このため、下パイプ１２の滑り防止面４１の部分の直径Ｒ１は、下パイプ１２の滑り防止面４１の無い部分の直径Ｒ２と同等である。
【００４９】
次に、上記のスタンド１０の作用について図１〜図５を参照して説明する。
図２の二点鎖線に示すように、スタンド１０を収納時の形態にする場合、摺動カラー３４を上方に摺動させることで、各脚板３０が、各ステー３１により引っ張られながら上方に回動する。即ち、各脚板３０は、図２の反時計回りに回動して、下パイプ１２の軸線Ｃ１を中心に閉じた状態となる。
【００５０】
これに対し、図２の実線に示すように、スタンド１０を使用時の形態にする場合、摺動カラー３４を下方に摺動させることで、各脚板３０が、各ステー３１により押し出されながら下方に回動する。即ち、各脚板３０は、図２の時計回りに回動して、下パイプ１２の軸線Ｃ１を中心に開いた状態となる。
【００５１】
図２の実線に示す状態では、規制ピン４０の外周面に摺動カラー３４の下側開口端が当接されている。このため、下パイプ１２の固定位置を越える摺動カラー３４の下方への摺動が規制されている。尚、下パイプ１２における規制ピン４０の固定位置は、スタンド１０を使用時の形態にしたときにリンク部２４が床面から離間すると共にスパイク２４ａの尖端が床面に突き当たる位置に設定されている。つまり、規制ピン４０は、スタンド１０を使用時の形態にするときの摺動カラー３４の位置決めに用いられる。
【００５２】
更に、スタンド１０を使用時の形態に保持するため、図５に示すように、締付けリング３６のネジ孔３６ｄに螺着された第２の蝶ネジ３５を締め付けて、摺動カラー３４を下パイプ１２の固定位置に固定する。このとき、第２の蝶ネジ３５が、その先端を摺動カラー３４の外周面に当接させて締め付けられる。すると、図５の矢印Ｑに示すように、締付けリング３６は、第２の蝶ネジ３５と摺動カラー３４とに対して径方向外側へ移動する。これにより、図５の矢印Ｑ２に示すように、締付けリング３６の両リング部３６ａの内周面が、摺動カラー３４の上側と下側とで、下パイプ１２の滑り防止面４１に押し付けられる。また、図５の矢印Ｑ１に示すように、第２の蝶ネジ３５の先端により押圧された摺動カラー３４の内周面３４ｂが、下パイプ１２の滑り防止面４１に押し付けられる。こうして、第２の蝶ネジ３５の締付け力によって、摺動カラー３４が、締付けリング３６と共に、下パイプ１２の外周面１２ａに固定される。
【００５３】
図１に示すように、演奏者は、スタンド１０を使用時の形態にして、ハイハットＨを演奏する。このとき、演奏者は、ペダルプレート２１の踏み込み操作によって、ロッド１８と共にトップシンバルＴＣを繰り返し上下動させながら、トップシンバルＴＣをボトムシンバルＢＣに接離させる。このため、ハイハットＨの演奏時には、ロッド１８やトップシンバルＴＣの上下動に伴う上方からの荷重Ｐが、上パイプ１１や下パイプ１２を通じて脚板３０やステー３１に繰り返し加えられると共に、脚板３０やステー３１を通じて摺動カラー３４にも繰り返し加えられる。このため、ハイハットＨの演奏が進むと、下パイプ１２が下方へと徐々に移動する。そして、更に荷重Ｐが加えられると、下パイプ１２の下端に固定されたリンク部２４が床面に接触して脚板３０の先端が床面から浮き上がってしまうことがある。脚板３０の先端が床面から離れると、スタンド１０の姿勢が不安定になり、ハイハットＨの演奏に支障をきたすことがある。
【００５４】
また、この種のスタンド１０は、各ステー３１を各脚板３０の上方にそれぞれ配置した構成を有している。このため、スタンド１０は、使用時の形態において、脚板３０がステー３１よりも大きく開くと共に、上方からの荷重Ｐが直接脚板３０に作用し易い構成となっている。このため、各ステー８３を各脚板８１の下方にそれぞれ配置した図８に示すスタンド８０と比較して、上方からの荷重Ｐによって脚板３０が動き易く、スタンド１０の姿勢が不安定になり易い。
【００５５】
この点、本実施形態によれば、図３及び図４に示すように、下パイプ１２の外周面１２ａにおいて、摺動カラー３４が固定される位置には、滑り防止面４１が形成されている。滑り防止面４１は、下パイプ１２の外周面１２ａにアヤ目ローレット加工を施すことによって形成されている。この場合、滑り防止面４１によって、摺動カラー３４を下パイプ１２の固定位置に固定した状態で、摺動カラー３４と下パイプ１２との摩擦抵抗が高められている。これにより、上方からの荷重Ｐが脚板３０や摺動カラー３４に作用しても、摺動カラー３４が下パイプ１２の固定位置から動き難くなり、下パイプ１２の下方への移動が規制される。このため、下パイプ１２の下端に固定されたリンク部２４が床面に接触して脚板３０の先端が床面から浮き上がることもない。よって、脚板３０の先端が床面から離れずに接触し続けるため、スタンド１０の使用時における安定性を向上させることができる。
【００５６】
従って、本実施形態によれば、以下のような効果を得ることができる。
（１）下パイプ１２の外周面１２ａにおいて、摺動カラー３４が固定される位置には、滑り防止面４１が形成されている。滑り防止面４１は、摺動カラー３４を下パイプ１２の固定位置に固定した状態で、摺動カラー３４と下パイプ１２との摩擦抵抗を高めることができる。これにより、上方からの荷重Ｐが脚板３０や摺動カラー３４に作用しても、摺動カラー３４が下パイプ１２の固定位置から動き難くなるため、下パイプ１２の下方への移動が規制される。また、この場合、下パイプ１２の外周面１２ａに滑り防止面４１を設けただけで、新たに部品を追加する必要がない。また、スタンド１０を使用時の形態に保持するための操作以外、余計な操作も不要である。従って、部品の追加や余計な操作を伴わずに、使用時におけるスタンド１０の安定性を向上させることができる。
【００５７】
（２）滑り防止面４１には、複数の細かい凹部４１ａ，４１ｂが加工されている。この構成によれば、下パイプ１２の外周面１２ａに設けた凹部４１ａ，４１ｂの開口縁を、摺動カラー３４の内周面３４ｂに接触させて引っ掛けることができる。これにより、摺動カラー３４を下パイプ１２の固定位置に固定した状態で、摺動カラー３４と下パイプ１２との摩擦抵抗を高めることができる。
【００５８】
（３）凹部４１ａ，４１ｂの各開口縁はいずれも、アヤ目ローレット加工が施されていない下パイプ１２の外周面１２ａと同一円周面上に配置されている。このため、下パイプ１２の滑り防止面４１の部分の直径Ｒ１が、下パイプ１２の滑り防止面４１の無い部分の直径Ｒ２と同等である。この場合、摺動カラー３４を下パイプ１２の固定位置に固定していない状態で、摺動カラー３４と下パイプ１２との摩擦抵抗が低く抑えられる。よって、摺動カラー３４を円滑に摺動させることができ、脚板３０及びステー３１を開閉するための操作が容易に行える。
【００５９】
（４）凹部４１ａ，４１ｂの集合体は、下パイプ１２の軸線Ｃ１と交差する周方向のうち第１の方向に延びる複数の第１凹部４１ａと、第２の方向に延びる複数の第２凹部４１ｂとを組み合わせたものである。この構成によれば、摺動カラー３４と下パイプ１２とを、摺動カラー３４及び下パイプ１２の周方向のより広い範囲で、互いに接触させることができる。これにより、摺動カラー３４を下パイプ１２の固定位置に固定した状態で、摺動カラー３４と下パイプ１２との摩擦抵抗をより一層高めることができる。
【００６０】
（５）第１凹部４１ａ及び第２凹部４１ｂの各断面形状はいずれも、三角形である。また、隣接する第１凹部４１ａ間に形成される凸状の部分４１ｃ及び隣接する第２凹部４１ｂ間に形成される凸状の部分４１ｃの各断面形状も、三角形である。また、滑り防止面４１の全体に亘って、断面三角形状の細かい凹凸が、均一な密度で規則的に配列されている。この構成によれば、断面三角形状の凸状の部分４１ｃを用いて、摺動カラー３４と下パイプ１２とを互いに接触させることができる。この場合、断面三角形状の凸部の先端を、摺動カラー３４の内周面３４ｂに食い込ませることができる。これにより、摺動カラー３４を下パイプ１２の固定位置に固定した状態で、摺動カラー３４と下パイプ１２との摩擦抵抗を更に高めることができる。
【００６１】
（６）滑り防止面４１は、下パイプ１２の外周面１２ａに周知のアヤ目ローレット加工が施された加工面として形成されている。アヤ目ローレット加工は一般的な金属加工であり、滑り止めとしても有用であることから、スタンド１０の使用時における安定性が向上するだけでなく、スタンド１０の製造コストを安価に抑えることもできる。
【００６２】
（７）脚部１３は、第２の蝶ネジ３５と、締付けリング３６とを備えている。また、第２の蝶ネジ３５を締め付けることにより、締付けリング３６が、第２の蝶ネジ３５と摺動カラー３４とに対して径方向外側へ移動する。これにより、締付けリング３６の両リング部３６ａの内周面が、下パイプ１２の滑り防止面４１に押し付けられる。また、第２の蝶ネジ３５の先端により押圧された摺動カラー３４の内周面３４ｂが、下パイプ１２の滑り防止面４１に押し付けられる。こうして、第２の蝶ネジ３５の締付け力を利用することで、摺動カラー３４を、締付けリング３６と共に、下パイプ１２の外周面１２ａに対して強い力で押し付けることができる。また、この場合、第２の蝶ネジ３５を締付ける操作だけで、摺動カラー３４の内周面３４ｂと下パイプ１２の外周面１２ａとの接触による摩擦抵抗を高めつつ摺動カラー３４を下パイプ１２の固定位置に固定することができる。このため、下パイプ１２の下方への移動を規制する構成を備えた従来のスタンドと比較して、取り扱いが簡単である。
【００６３】
（８）スタンド１０は、使用時の形態において、脚板３０がステー３１よりも大きく開くと共に、上方からの荷重Ｐが直接脚板３０に作用し易い構成となっている。この点、本発明は、上方からの荷重Ｐに対し下パイプ１２の下方への移動を規制して脚板３０を動き難くする構成である。このため、本発明は、上記構成のスタンド１０の使用時における安定性を向上させるのに、特に有用である。
【００６４】
（９）下パイプ１２の外周面１２ａには、規制ピン４０が固定されている。規制ピン４０は、スタンド１０を使用時の形態にするときの摺動カラー３４の位置決めに用いられる。また、滑り防止面４１は、下パイプ１２の外周面１２ａにおいて、規制ピン４０と対応する部分にのみ施されている。この構成によれば、下パイプ１２の外周面１２ａに形成される滑り防止面４１の範囲が必要最小限に抑えられる。このため、滑り防止面４１の加工コストが軽減される。よって、スタンド１０の製造コストをより一層安価に抑えることもできる。
【００６５】
（１０）演奏者は、ペダルプレート２１の踏み込み操作によって、ロッド１８と共にトップシンバルＴＣを繰り返し上下動させながら、トップシンバルＴＣをボトムシンバルＢＣに接離させることによって、ハイハットＨを演奏する。この点、本発明は、上方からの荷重Ｐに対し下パイプ１２の下方への移動を規制して脚板３０を動き難くする構成である。このため、本発明は、ハイハットスタンド１０の使用時における安定性を向上させるのに、特に有用である。
【００６６】
なお、本実施形態は、以下のように変更してもよい。
・図６及び図７に示すように、下パイプ６２の外周面６２ａに凹部を形成せずに、摺動カラー６４の内周面６４ｂに凹部６４ａを形成してもよい。この場合、滑り防止面が、下パイプ６２の外周面６２ａでなく、摺動カラー６４の内周面６４ｂに形成される。この場合も、図７の矢印Ｑに示すように、第２の蝶ネジ３５を締め付けることにより、締付けリング３６が、第２の蝶ネジ３５と摺動カラー６４とに対して径方向外側へ移動する。その結果、本実施形態と同様に、締付けリング３６の両リング部３６ａの内周面が下パイプ６２の外周面６２ａに押し付けられると共に、第２の蝶ネジ３５の先端により押圧された摺動カラー６４の内周面６４ｂが下パイプ６２の外周面６２ａに押し付けられる。よって、この場合も、第２の蝶ネジ３５を締付ける操作だけで、摺動カラー６４の内周面６４ｂと下パイプ６２の外周面６２ａとの接触による摩擦抵抗を高めつつ摺動カラー６４を下パイプ６２の固定位置に固定することができる。
【００６７】
・図８に示すように、本発明は、各ステー８３を各脚板８１の下方にそれぞれ配置したスタンド８０に適用してもよい。この場合、脚板８１は、摺動カラー３４に回動可能に連結されている。また、ステー８３は、脚板８１の中間部と固定カラー３３とにそれぞれ回動可能に連結されている。この場合も、支持体としてのパイプ８２の外周面８２ａにおいて、摺動カラー３４が固定される位置に、滑り防止面４１を形成すればよい。
【００６８】
・図９（ａ）に示すように、滑り防止面９１には、下パイプ９２の軸線Ｃ１と直交する円周方向に延びる凹部９１ａのみを形成してもよい。また、図９（ｂ）に示すように、滑り防止面９３には、下パイプ９４の軸線Ｃ１と交差する周方向のうち第１の方向に延びる凹部９３ａのみを形成してもよい。つまり、図４に示す滑り防止面４１において、第２の方向に延びる複数の第２凹部４１ｂを削除してもよい。
【００６９】
・図１０（ａ）に示すように、下パイプ９５の外周面９５ａに凹部を形成せずに、凸部９５ｂを形成してもよい。この場合、凸部９５ｂの断面形状は、三角形以外に、任意の多角形状であってもよい。
【００７０】
・図１０（ｂ）に示すように、下パイプ９６の外周面９６ａに断面三角形状の凹部９６ｂを形成すると共に、隣接する凹部９６ｂ間に平坦部９６ｃを形成してもよい。また、図１０（ｃ）に示すように、凹部９７ｂの断面形状を四角形に変更してもよく、任意の多角形状に変更してもよい。
【００７１】
・本実施形態において、下パイプ１２の外周面１２ａ及び摺動カラー３４の内周面３４ｂの両方に凹部４１ａ，４１ｂを形成してもよい。また、凹部４１ａ，４１ｂに代えて、下パイプ１２の外周面１２ａ及び摺動カラー３４の内周面３４ｂの両方に、図１０（ａ）に示す凸部９５ｂを形成してもよい。また、下パイプ１２の外周面１２ａ及び摺動カラー３４の内周面３４ｂの一方に凹部４１ａ，４１ｂを形成し、他方に凸部９５ｂを形成してもよい。
【００７２】
・本実施形態において、滑り防止面４１は、アヤ目ローレット加工以外に、例えばブラスト加工や梨地加工等、凹凸が形成される任意の加工法を用いて形成してもよい。
・本実施形態において、規制ピン４０を削除してもよい。
【００７３】
・本発明を、開閉可能な脚部を備えたスタンド型の椅子やテーブル等に適用してもよい。
【符号の説明】
【００７４】
１０…ハイハットスタンド（スタンド）、ＴＣ…トップシンバル、ＢＣ…ボトムシンバル、１１…上パイプ（パイプ）、１２…下パイプ（支持体）、１２ａ…外周面、１８…ロッド、２１…ペダルプレート、３０，８１…脚板、３１，８３…ステー、３４…摺動カラー、３４ｂ…内周面、３５…第２の蝶ネジ（固定ネジ）、３６…締付けリング（締付け部材）、３６ｄ…ネジ孔、４０…規制ピン（規制部）、４１…滑り防止面、４１ａ，４１ｂ…凹部、８２…パイプ（支持体）、９５ｂ…凸部。
【図１】
2019101347.tif 000003
【図２】
2019101347.tif 000004
【図３】
2019101347.tif 000005
【図４】
2019101347.tif 000006
【図５】
2019101347.tif 000007
【図６】
2019101347.tif 000008
【図７】
2019101347.tif 000009
【図８】
2019101347.tif 000010
【図９】
2019101347.tif 000011
【図１０】
2019101347.tif 000012
【図１１】
2019101347.tif 000013